【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
第１基板と、
第２基板と、
前記第１基板と前記第２基板との間に挟持される液晶とを有する液晶表示パネルを備え、前記液晶表示パネルにマトリクス状に配置された複数の画素と、前記複数の画素で構成される表示部とを有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記分割された各ブロックの対向電極に対して、対向電圧とタッチパネル走査電圧を供給する半導体チップを有し、
前記半導体チップは一対の長辺を有し、
前記半導体チップは、前記一対の長辺のうち前記表示部側の一方の長辺に形成される第１端子群を有し、
前記第１端子群の中で前記半導体チップの前記一方の長辺の端部に配置される複数の端子は、前記分割された各ブロックの対向電極に対して、対向電圧とタッチパネル走査電圧を供給する端子であることを特徴とする液晶表示装置。
【請求項２】
前記対向電極の分割数をＭ（１≦Ｍ≦２）とするとき、前記半導体チップの両側に配置される複数の端子は、一方の端に配置されるＭ個の端子Ａ１と、他方の端に配置されるＭ個の端子Ａ２であり、
前記半導体チップは、前記複数の端子Ａ１と前記複数の端子Ａ２の各々から、前記分割された各ブロックの対向電極の中で順次選択された対向電極に対して前記タッチパネル走査電圧を供給し、前記選択された対向電極以外の対向電極に対して前記対向電圧を供給するモードと、前記Ｍ個の端子Ａ１及び前記Ｍ個の端子Ａ２の中で１乃至Ｎ（１≦Ｎ＜２）番目の端子から前記対向電圧を出力し、残りのＮ乃至Ｍ番目の端子から前記タッチパネル走査電圧を出力するモードとに切り替え可能であることを特徴とする請求項１に記載の液晶表示装置。
【請求項３】
前記Ｎは、Ｎ＝Ｍ／２であることを特徴とする請求項２に記載の液晶表示装置。
【請求項４】
前記第１基板は、前記各画素に走査電圧を入力する複数の走査線と、
前記複数の走査線に前記走査電圧を供給する走査線駆動回路とを有し、
前記走査線駆動回路は、前記液晶表示パネルの内部に内蔵され、ｎ型あるいはｐ型トランジスタのみを使用して構成される回路であり、
前記半導体チップは、前記複数の端子Ａ１と前記複数の端子Ａ２の各々から、前記分割された各ブロックの対向電極の中で順次選択された対向電極に対して前記タッチパネル走査電圧を供給し、前記選択された対向電極以外の対向電極に対して前記対向電圧を供給することを特徴とする請求項２に記載の液晶表示装置。
【請求項５】
前記第１基板は、前記各画素に走査電圧を入力する複数の走査線と、
前記複数の走査線に前記走査電圧を供給する走査線駆動回路と、
前記分割された各ブロックの対向電極を選択する対向電極選択回路とを有し、
前記対向電極選択回路は、前記走査線駆動回路と前記表示領域との間に配置され、
前記対向電極選択回路は、前記液晶表示パネルの内部に内蔵され、ＣＭＯＳ回路構成の回路であり、
前記半導体チップは、前記対向電極選択回路に対して、前記Ｍ個の端子Ａ１及び前記Ｍ個の端子Ａ２の中で１乃至Ｎ（１≦Ｎ＜２）番目の端子から対向電圧を供給し、残りのＮ乃至Ｍ番目の端子から前記タッチパネル走査電圧を供給することを特徴とする請求項２に記載の液晶表示装置。
【請求項６】
第１基板と、
第２基板と、
前記第１基板と前記第２基板との間に挟持される液晶とを有する液晶表示パネルを備え、前記液晶表示パネルにマトリクス状に配置された複数の画素と、前記複数の画素で構成される表示部とを有する液晶表示装置であって、
前記第２基板は、タッチパネルの検出電極を有し、
前記第１基板は、前記各画素に走査電圧を入力する複数の走査線と、
前記複数の画素で構成される表示部の両側に配置され、前記複数の複数の走査線に前記走査電圧を供給する第１走査線駆動回路と第２走査線駆動回路とを有し、
前記第１走査線駆動回路と前記第２走査線駆動回路は、前記液晶表示パネルの内部に内蔵される回路であり、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記分割された各ブロックの対向電極に対して、対向電圧とタッチパネル走査電圧を供給するとともに、前記第１走査線駆動回路と前記第２走査線駆動回路に表示制御信号を供給する半導体チップを有し、
前記半導体チップは一対の長辺を有し、
前記半導体チップは、前記一対の長辺のうち前記表示部側の第１の長辺に形成される第１端子群を有し、前記表示部と反対側の第２の長辺に形成される第２端子群を有し、
前記第１端子群の中で前記半導体チップの前記第１の長辺の端部に配置される複数の端子は、前記分割された各ブロックの対向電極に対して対向電圧とタッチパネル走査電圧を供給する端子であり、
前記第２端子群の中で前記半導体チップの前記第２の長辺の一方の端に配置される複数の端子は、前記第１走査線駆動回路に対して表示制御信号を供給する端子Ｂ１であり、前記第２端子群の中で前記半導体チップの前記第２の長辺の他方の端に配置される複数の端子は、前記第２走査線駆動回路に対して表示制御信号を供給する端子Ｂ２であることを特徴とする液晶表示装置。
【請求項７】
前記半導体チップ内部のレジスタに設定されたデータに基づき、前記複数の端子Ｂ１から前記第１走査線駆動回路に対して供給される表示制御信号の種類、および、前記複数の端子Ｂ２から前記第２走査線駆動回路に対して供給される表示制御信号の種類が異なっていることを特徴とする請求項７に記載の液晶表示装置。
【請求項８】
前記複数の画素で構成される表示部の両側に配置され、前記分割された各ブロックの対向電極を選択する第１対向電極選択回路と第２対向電極選択回路を有し、
前記第１対向電極選択回路と前記第２対向電極選択回路は、前記液晶表示パネルの内部に内蔵される回路であり、
前記複数の端子Ｂ１と前記複数端子Ｂ２には、前記第１対向電極選択回路と前記第２対向電極選択回路にアドレス信号を供給する端子も含まれていることを特徴とする請求項７に記載の液晶表示装置。
【請求項９】
前記第１対向電極選択回路と前記第２対向電極選択回路は、前記各ブロックの対向電極を選択するアドレスデコーダ回路と、
前記アドレスデコーダ回路で選択されたブロックの対向電極に前記タッチパネル走査電圧を供給し、前記アドレスデコーダ回路で選択されないブロックの対向電極に前記対向電圧を供給する選択回路とを有することを特徴とする請求項５または請求項８に記載の液晶表示装置。
【請求項１０】
第１基板と、
第２基板と、
前記第１基板と前記第２基板との間に挟持される液晶とを有する液晶表示パネルを備え、前記液晶表示パネルにマトリクス状に配置された複数の画素と、前記複数の画素で構成される表示部とを有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記分割された各ブロックの対向電極に対して、対向電圧とタッチパネル走査電圧を供給する半導体チップを有し、
前記半導体チップは一対の長辺を有し、
前記半導体チップは、前記一対の長辺のうち前記表示部側の第１の長辺に形成される第１端子群を有し、前記表示部と反対側の第２の長辺に形成される第２端子群を有し、
前記第２端子群の中で前記半導体チップの前記第２の長辺の中央に配置される複数の端子は、外部からの入力信号群が入力される端子Ｄであり、
前記第２端子群の中で前記半導体チップの前記第２の長辺の一方の端に配置される複数の端子は前記第１走査線駆動回路に対して表示制御信号を供給する端子Ｂ１であり、前記第２端子群の中で前記半導体チップの前記第２の長辺の他方の端に配置される複数の端子は、前記第２走査線駆動回路に対して表示制御信号を供給する端子Ｂ２であり、
前記端子Ｄと前記端子Ｂ１との間に配置される端子Ｃ１と、前記端子Ｄと前記端子Ｂ２との間に配置される端子Ｃ２は、前記検出電極からの検出電圧が入力される端子であることを特徴とする液晶表示装置。
【請求項１１】
前記端子Ｃ１あるいは前記端子Ｃ２のいずれか一方のみが使用されることを特徴とする請求項１０に記載の液晶表示装置。
【請求項１２】
前記対向電極は、前記第１基板上で１表示ラインの各画素に対して共通に設けられており、
連続する複数の表示ラインの前記各対向電極は、前記第１基板上で電気的に接続されて前記ブロック単位に分割された対向電極を構成することを特徴とする請求項１、請求項７、または、請求項１０に記載の液晶表示装置。